【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
被写体からの散乱放射線を除去するためのグリッドを使用した放射線撮影により得られた放射線画像を処理する放射線画像処理装置であって、
被写体を介さず且つ前記グリッドを介して放射線撮影することにより得られた第１の画像データから、前記グリッドに起因する画像成分を除去することにより、補正用画像データを作成する作成手段と、
前記補正用画像データを用いて被写体及び前記グリッドを介して放射線撮影することにより得られた第２の画像データを補正する補正手段とを有することを特徴とする放射線画像処理装置。
【請求項２】
前記作成手段は、画像全体にわたって定常であるという前記画像成分の特徴に基づいて前記第１の画像データから前記画像成分を作成し、該作成された前記画像成分を前記第１の画像データから除去する除去手段とを有することを特徴とする請求項１記載の放射線画像処理装置。
【請求項３】
前記作成手段は、前記画像成分の周期的な空間周波数を前記第１の画像データを解析して得ることを特徴とする請求項１記載の放射線画像処理装置。
【請求項４】
前記作成手段は、前記解析手段の解析結果に基づいて前記第１の画像データから前記空間周波数を有する成分を抽出し、前記抽出された空間周波数を有する成分を加工して得られる前記画像成分を前記第１の画像データから除去することを特徴とする請求項３記載の放射線画像処理装置。
【請求項５】
前記作成手段は、前記抽出された空間周波数を有する成分を加工する処理として、前記空間周波数を有する成分の非定常な部分を、前記空間周波数を有する成分の定常な部分から推定して加工する処理を実行することを特徴とする請求項４記載の放射線画像処理装置。
【請求項６】
前記作成手段は、前記空間周波数を有する成分の包絡線情報に基づいて、前記非定常な部分を検出することを特徴とする請求項５記載の放射線画像処理装置。
【請求項７】
前記作成手段は、前記空間周波数を有する成分の定常な部分及び前記空間周波数に基づいて、前記画像成分に対応する正弦波の振幅及び位相を推定することにより、前記非定常な部分の補修を行うことを特徴とする請求項５記載の放射線画像処理装置。
【請求項８】
前記作成手段は、前記補修された空間周波数を有する成分に対して、さらなるフィルタリングを行って前記加工して得られる画像成分を得ることを特徴とする請求項７記載の放射線画像処理装置。
【請求項９】
前記作成手段は、前記非定常な部分のうち所定の条件を満たす前記非定常な部分を所定値に置換して前記画像成分を得ることを特徴とする請求項５記載の放射線画像処理装置。
【請求項１０】
前記作成手段は、前記第１の画像データから選択された所定のラインについて、前記補正用画像データを作成することを特徴とする請求項１記載の放射線画像処理装置。
【請求項１１】
前記作成手段は、複数のラインの平均の結果に対して、前記補正用画像データを作成することを特徴とする請求項１０記載の放射線画像処理装置。
【請求項１２】
前記作成手段は、前記作成しなかったラインの前記補正用画像データとして、当該ラインの近隣の前記作成されたラインから取得した前記補正用画像データを用いることを特徴とする請求項１０記載の放射線画像処理装置。
【請求項１３】
前記グリッドの装着を検出する検出手段を備え、前記作成手段は、前記検出手段の検出結果に基づいて、前記補正用画像データを作成することを特徴とする請求項１記載の放射線画像処理装置。
【請求項１４】
前記作成手段は、被写体及び前記グリッドを介さずに放射線撮影して得た第３の画像データを用いて前記第１の画像データを補正することにより、前記第１の画像データから前記画像成分を作成し、該作成された前記画像成分を前記グリッドに起因する画像成分として前記第１の画像データから除去することにより、補正用画像データを作成することを有することを特徴とする請求項１記載の放射線画像処理装置。
【請求項１５】
前記作成手段は、画像全体にわたって定常であるという前記画像成分の特徴に基づいて、前記第３の画像データによって補正された前記第１の画像データから前記画像成分を作成することを特徴とする請求項１４記載の放射線画像処理装置。
【請求項１６】
被写体からの散乱放射線を除去するためのグリッドを使用した放射線撮影により得られた放射線画像を処理する放射線画像処理装置であって、
被写体を介さず且つ前記グリッドを介して放射線撮影することにより得られた第１の画像データから、前記グリッドに起因する画像成分を除去することにより補正用画像データを作成する作成手段と、
被写体及び前記グリッドを介して放射線撮影することにより得られた第２の画像データを、前記補正用画像データを用いて補正する補正手段と、
前記補正手段によって補正された第２の画像データから、前記グリッドに起因する画像成分を除去する除去手段とを有することを特徴とする放射線画像処理装置。
【請求項１７】
被写体からの散乱放射線を除去するためのグリッドを使用した放射線撮影により得られた放射線画像を処理する放射線画像処理方法であって、
被写体を介さず且つ前記グリッドを介して放射線撮影することにより得られた第１の画像データから、前記グリッドに起因する画像成分を除去することにより補正用画像データを作成する作成ステップと、
被写体及び前記グリッドを介して放射線撮影することにより得られた第２の画像データを、前記補正用画像データを用いて補正する補正ステップとを有することを特徴とする放射線画像処理方法。
【請求項１８】
被写体からの散乱放射線を除去するためのグリッドを使用した放射線撮影により得られた放射線画像を処理する放射線画像処理方法であって、
被写体を介さず且つ前記グリッドを介して放射線撮影することにより得られた第１の画像データから、前記グリッドに起因する画像成分を除去することにより補正用画像データを作成する作成ステップと、
被写体及び前記グリッドを介して放射線撮影することにより得られた第２の画像データを、前記補正用画像データを用いて補正する補正ステップと、
前記補正ステップにおいて補正された第２の画像データから、前記グリッドに起因する画像成分を除去する除去ステップとを有することを特徴とする放射線画像処理方法。
【請求項１９】
請求項１７又は１８に記載の放射線画像処理方法の処理ステップをコンピュータに実行させるためのプログラムを記録したコンピュータが読み出し可能な記憶媒体。
【請求項２０】
請求項１７又は１８に記載の放射線画像処理方法の処理ステップをコンピュータに実行させるためのプログラム。
【手続補正２】
【補正対象書類名】明細書
【補正対象項目名】００１５
【補正方法】変更
【補正の内容】
【００１５】
上述の目的を達成するために、本発明は、被写体からの散乱放射線を除去するためのグリッドを使用した放射線撮影により得られた放射線画像を処理する放射線画像処理装置であって、被写体を介さず且つ前記グリッドを介して放射線撮影することにより得られた第１の画像データから、前記グリッドに起因する画像成分を除去することにより、補正用画像データを作成する作成手段と、前記補正用画像データを用いて被写体及び前記グリッドを介して放射線撮影することにより得られた第２の画像データを補正する補正手段とを有することを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】変更
【補正の内容】
【００３３】
また、本発明は、被写体からの散乱放射線を除去するためのグリッドを使用した放射線撮影により得られた放射線画像を処理する放射線画像処理装置であって、被写体を介さず且つ前記グリッドを介して放射線撮影することにより得られた第１の画像データから、前記グリッドに起因する画像成分を除去することにより補正用画像データを作成する作成手段と、被写体及び前記グリッドを介して放射線撮影することにより得られた第２の画像データを、前記補正用画像データを用いて補正する補正手段と、前記補正手段によって補正された第２の画像データから、前記グリッドに起因する画像成分を除去する除去手段とを有することを特徴とする。
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】変更
【補正の内容】
【００３５】
また、本発明は、被写体からの散乱放射線を除去するためのグリッドを使用した放射線撮影により得られた放射線画像を処理する放射線画像処理方法であって、被写体を介さず且つ前記グリッドを介して放射線撮影することにより得られた第１の画像データから、前記グリッドに起因する画像成分を除去することにより補正用画像データを作成する作成ステップと、被写体及び前記グリッドを介して放射線撮影することにより得られた第２の画像データを、前記補正用画像データを用いて補正する補正ステップとを有することを特徴とする。
【手続補正２３】
【補正対象書類名】明細書
【補正対象項目名】００３６
【補正方法】変更
【補正の内容】
【００３６】
また、本発明は、被写体からの散乱放射線を除去するためのグリッドを使用した放射線撮影により得られた放射線画像を処理する放射線画像処理方法であって、被写体を介さず且つ前記グリッドを介して放射線撮影することにより得られた第１の画像データから、前記グリッドに起因する画像成分を除去することにより補正用画像データを作成する作成ステップと、被写体及び前記グリッドを介して放射線撮影することにより得られた第２の画像データを、前記補正用画像データを用いて補正する補正ステップと、前記補正ステップにおいて補正された第２の画像データから、前記グリッドに起因する画像成分を除去する除去ステップとを有することを特徴とする。